(57)【要約】      （修正有）【課題】タグラグビー用タグの耐久性、審美性を向上させ、低コストで製造可能なタグラグビー用タグ、およびタグラグビー用具を提供する。【解決手段】タグ１２０のタグ部１２１に備えられる留め具１２２が、タグベルト１１０ベルト部１１１に備えられる留め具１１１ａと着脱可能に結合し、留め具１２２の周辺に設けられた高周波ウェルダー加工によって加熱溶着された溶着部１２３が、留め具１２２とタグ部１２１とを溶着する。【選択図】図１
0003219454.tif 000002
【実用新案登録請求の範囲】
【請求項１】
タグラグビーをするプレーヤーの腰部に環状に巻かれたベルト部に固定されるタグラグビー用タグにおいて、
前記ベルト部に着脱可能に結合するための留め具と、
前記留め具と前記タグとが溶着された溶着部と、
を備えることを特徴とするタグラグビー用タグ。
【請求項２】
前記溶着部は、
加熱溶着された加熱溶着部であること、
を特徴とする請求項１記載のタグラグビー用タグ。
【請求項３】
前記加熱溶着部は、
前記留め具と前記タグとが接する内側からの内部熱で溶着された内部加熱溶着部であること、
を特徴とする請求項２記載のタグラグビー用タグ。
【請求項４】
前記内部加熱溶着部は、
高周波ウェルダーにより形成されたこと、
を特徴とする請求項３記載のタグラグビー用タグ。
【請求項５】
前記溶着部は、
前記留め具の外周辺に設けられたこと、
を特徴とする請求項１記載のタグラグビー用タグ。
【請求項６】
タグラグビーをするプレーヤーに装着されるベルト部と、前記ベルト部に固定されるタグとを有するタグラグビー用具において、
前記タグは、
前記ベルト部に着脱可能に結合するための留め具と、
前記留め具と前記タグとが溶着された溶着部と、
を備えることを特徴とするタグラグビー用具。
【請求項７】
前記留め具は、
前記ベルト部に設けられた第一留め具に結合可能な第二タグ留め具、
であることを特徴とする請求項６記載のタグラグビー用タグ。
【請求項８】
前記第一留め具は、
前記ベルト部の外周面に渡って設けられ、
前記ベルト部は、
一方端の先端面に連続して設けられ、前記第一留め具に結合可能な第三留め具と、
を備えることを特徴とする請求項７記載のタグラグビー用タグ。
【請求項９】
前記第一留め具、第二留め具、および第三留め具は、
面ファスナーを構成する部材であることを特徴とする請求項８記載のタグベルト。
【請求項１０】
前記第一留め具は、
前記ベルト部の外周面全域に設けられることを特徴とする請求項７記載のタグベルト。
【考案の詳細な説明】
【技術分野】
【０００１】
本考案は、タグラグビー用タグ、およびタグラグビー用具に関し、特にタグラグビーをするプレーヤーの腰部に環状に巻かれたベルト部に固定されるタグラグビー用タグ、およびタグラグビー用具に関する。
【背景技術】
【０００２】
従来から、回転楕円体のボールを使ったラグビーというスポーツが世界各地で競技されている。このラグビーは、相手側の攻撃を阻止するために、相手側プレーヤーに自分の身体をぶつけて、相手側プレーヤーを倒したりするタックルというプレーが認められている。
【０００３】
タックルされて地面に倒されたプレーヤーは、プレーが続けられるようにボールを離さなければならないため、攻撃側にはボールを奪う機会が生じることになる。たとえ相手側からボールを奪い返せなくても、タックルが成立することで相手側の攻撃を止めることができるので、実質的に防御のための時間を稼ぐことが可能となる。このようにラグビーでは、タックルというプレーが必須の行為となっている。
【０００４】
ラグビーでは、相手側プレーヤーを捕らえて倒すという行為がタックルになるため、相手プレーヤーへの自分の身体のぶつけ方によっては、非常に危険なプレーとなってしまう。例えば、肩より上へ体当たりするハイタックルは、相手プレーヤーの頸椎を損傷させる恐れがあるため、ラグビーのルール上で禁止事項とされている。
【０００５】
このように身体と身体とがぶつかり合うタックルは、禁止されたタックルを行わなかったとしても、タックルの仕方によって相手プレーヤーに大怪我をさせてしまうこともある。そのためラグビーでは、タックルというプレーが度々問題となっている。
【０００６】
そこで、この危険度の高いタックルをタグと呼ばれるリボンを取るという別の行為に置き換えることで、プレーヤー同士の接触プレーをなくし、またルールを単純化することで、ラグビーの経験の有無や、老若男女問わずにラグビーを安全に楽しむことができるタグラグビーというボールゲームが知られている（たとえば、非特許文献１参照）。
【０００７】
タグラグビーとは具体的に、プレーヤーの腰にタグベルトと呼ばれるベルトを装着し、そのタグベルト左右の両腰位置に当たる部分に、タグとよばれる２本のリボンを面ファスナーで取り付けてプレーする。
【０００８】
このプレーヤーの両腰に取り付けられたタグは、面ファスナーが縫製によって取り付けられているため、容易に取り外すことができる。この容易に取り外すことができるタグを、相手プレーヤーが取ることで、従来危険なプレーであったタックルの代わりとなっている。
【０００９】
図７は、タグラグビーで使用される用具の詳細を示す図である。
図７に示すように、タグラグビー用具１０は、タグベルト１１、連結具１２、第一タグ留め具１３、第二タグ留め具１４、およびタグ１５が備えられている。
【００１０】
タグベルト１１は、タグラグビーをプレーするプレーヤーの腰回りに十分に巻ける長さを備えており、たとえばナイロン製の帯などを使用した丈夫なベルトである。
タグベルト１１の両端部には、タグベルト１１の端部を連結するための連結具１２が備えられている。このタグベルト１１の両端部に設けられた連結具１２同士を連結することで、プレーヤーの腰回りにタグベルト１１が巻かれて固定される。
【００１１】
タグベルト１１の一方の端部からやや中央よりにはタグ１５を固定するための第一タグ留め具１３が、またタグベルト１１の中央付近には第二タグ留め具１４が、備えられている。
【００１２】
第一タグ留め具１３は、固定するタグ１５の幅と同じ幅で設けられる留め具であり、例えば面ファスナーを構成する一面部材がタグベルト１１に縫い付けられている。
【００１３】
第二タグ留め具１４は、第一タグ留め具１３よりも広い幅で設けられる留め具であり、例えば面ファスナーを構成する一面部材が、タグベルト１１に縫い付けられている。タグラグビー用具１０は、後に説明するように、環状に巻かれたタグベルト１１の径が伸縮自在になっており、あらゆる体格のプレーヤーにもタグラグビー用具１０がプレーヤーの腰部に固定できるようになっている。
【００１４】
このため、第二タグ留め具１４を幅広く設けることで、第一タグ留め具１３に固定したタグ１５の位置をプレーヤーの腰部左右どちらかの位置に固定し、幅広く設けられた第二タグ留め具１４の領域の内、プレーヤーの残された腰部左右どちらかの位置にタグ１５を貼り付けて固定することで、胴回りの異なるプレーヤーに対しても、第二タグ留め具１４の幅の範囲で、タグ１５の固定位置を調整することができる。
【００１５】
タグ１５は、前述の通りタグラグビーにおいて、ラグビーのタックルの代わりに使用されるものであり、たとえばターポリン素材のような塩化ビニール製のリボンが２本使用される。それぞれのタグ１５の一方の面の端部には、留め具１５ａが縫い付けられている。
【００１６】
留め具１５ａは面ファスナーを構成する一面部材であり、第一タグ留め具１３および第二タグ留め具１４に対応したものである。この留め具１５ａを第一タグ留め具１３および第二タグ留め具１４の範囲内に貼り付けられることで、それぞれのタグ１５をタグベルト１１に固定することができる。
【００１７】
また第一タグ留め具１３、第二タグ留め具１４に対する留め具１５ａの固定に面ファスナーを使用することで、容易に取付けることが可能で有り、また取り外しも容易となる。このため従来では危険であったタックルを、タグを取る行為に置き換えられ、タグラグビーの競技中におけるプレーヤー同士の接触事故を防止することができる。また、タグ１５は、赤・青・黄・緑などの色づけをしたリボンを用意することで、チームごとの色分けを明確にすることができる。
【００１８】
なお、タグベルト１１の端部を連結する連結具１２には、バックルと呼ばれる固定具が使用され、連結具１２の位置でタグベルト１１を折り返すことで、環状に巻かれたタグベルト１１の径や締め付ける強さを調節できる。またプレーヤーが競技中に負担にならないように、軽量の合成樹脂が使われた合成樹脂製のバックルが使用されている。
【先行技術文献】
【特許文献】
【００１９】
【非特許文献１】「用具について−用具の説明と取扱注意−タグラグビーオフィシャルウェブサイト」、［online］、［平成３０年１０月５日検索］、インターネット〈URL：http://www.tagrugby-japan.jp/faq/〉
【考案の概要】
【考案が解決しようとする課題】
【００２０】
上記のようにタグベルト１１とタグ１５とは、タグ１５に備えられた留め具１５ａが、タグベルト１１に備えられたタグ留め具１４に着脱可能に取付けられる。これにより、タグベルト１１からタグ１５を容易に取り外すことができるので、相手プレーヤーが取ることで、従来危険なプレーであったタックルの代わりとすることができる。
しかし、タグ１５と留め具１５ａとは、縫製加工によって縫い付けられているため、次のような問題があった。
【００２１】
まず、縫製加工に時間がかかる問題が考えられる。具体的には、留め具１５ａは、タグ１５に固定させるために、留め具１５ａとタグ１５とを縫製により縫い付けられているが、留め具１５ａをタグ１５に固定させるには、留め具１５ａの周囲四辺をタグ１５に縫い付ける必要がある。さらに強固に縫合させるには、留め具１５ａの四隅を対角線状に縫製する。
【００２２】
このような縫製工程には、工業用ミシンなどで一辺ごと縫製することになる。つまり留め具１５ａをタグ１５に縫い付けるには、少なくとも四辺、さらに強固に縫合させるためには六辺の縫製作業が必要になる。このため、留め具１５ａとタグ１５との縫製工程には多くの手間と時間がかかることになり、製造コストが高くなる原因となっていた。
【００２３】
次に、審美性を失う問題が考えられる。具体的には、留め具１５ａとタグ１５とを縫製糸で縫製することで、縫合するための縫製糸がタグ１５の表面に露出してしまうため、審美性を著しく喪失してしまう。
【００２４】
この問題を解決するために、留め具１５ａとタグ１５との色を合わせ、さらに縫合するための縫製糸を留め具１５ａとタグ１５と同色に合わせることで、タグ１５の表面に露出した縫製糸を目立たせないようにすることが考えられる。
【００２５】
ところが、タグ１５の色はチームごとの色分けを明確にするために、赤・青・黄・緑などの色づけが必要となる。このため縫合する縫製糸を目立たなくして審美性をよくするためには、タグ１５の各色に合わせた留め具１５ａや縫製糸を用意する必要があり、製造コストが上がってしまうため現実的ではなかった。
【００２６】
次に、耐久性が悪い問題が考えられる。具体的には、留め具１５ａとタグ１５とは縫製糸で縫合されており、縫合した縫製糸がタグ１５の使用や事件の経過によって腐食してしまった場合、留め具１５ａがタグ１５から剥がれてしまう問題がある。
【００２７】
タグラグビーは室内だけで行われる競技ではなく、もちろん屋外でも行われるスポーツである。時には雨が降る中で行われることもある。また、土や芝のグラウンドや体育館などで選手が走ることで、汗や雨がタグ１５に付着し、汗や雨が付着したままタグ１５を放置してしまうと、やがて縫製糸が腐食してしまうことになる。
【００２８】
縫製糸が腐食した状態でタグ１５を使用すると、やがて留め具１５ａがタグ１５から剥がれることになる。留め具１５ａは例えば面ファスナーを構成する一面部材であり、タグ１５から剥がれた留め具１５ａの角部が選手と競技中に接触することで、選手が負傷することも考えられる。このため汗や雨で腐食してしまう縫製糸は、事故に繋がる危険性があった。
【００２９】
本考案はこのような点に鑑みてなされたものであり、グラグビー用タグの耐久性、審美性を向上させ、低コストで製造可能なタグラグビー用タグ、およびタグラグビー用具を提供することを目的とする。
【課題を解決するための手段】
【００３０】
本考案では上記問題を解決するために、タグラグビーをするプレーヤーの腰部に環状に巻かれたベルト部に固定されるタグラグビー用タグにおいて、前記ベルト部に着脱可能に結合するための留め具と、前記留め具と前記タグとが溶着された溶着部とを備えることを特徴とするタグラグビー用タグが提供される。
これにより、留め具が、ベルト部と着脱可能に結合し、溶着部が、留め具とタグとを溶着する。
【００３１】
また、本考案では、タグラグビーをするプレーヤーに装着されるベルト部と、前記ベルト部に固定されるタグとを有するタグラグビー用具において、前記タグは、前記ベルト部に着脱可能に結合するための留め具と、前記留め具と前記タグとが溶着された溶着部とを備えることを特徴とするタグラグビー用具が提供される。
これにより、留め具が、ベルト部と着脱可能に結合し、溶着部が、留め具とタグとを溶着する。
【考案の効果】
【００３２】
本考案のタグラグビー用タグ、およびタグラグビー用具によれば、留め具が、ベルト部を着脱可能に結合し、溶着部が、留め具とタグとを溶着するので、腐食してしまう縫製糸を使った縫合が不要となることで耐久性、審美性を向上させることができ、さらに低コストで製造することができる。
【図面の簡単な説明】
【００３３】
【図１】本実施の形態に係るタグラグビー用具の概要を示す図である。
【図２】タグベルトの詳細を示す図である。
【図３】タグベルトの取付け方法を示す図である。
【図４】タグの詳細を示す図である。
【図５】タグ部と留め具とを溶着する様子を示す図である。
【図６】タグベルトにタグを装着した状態を示す図である。
【図７】タグラグビーで使用される用具の詳細を示す図である。
【考案を実施するための形態】
【００３４】
以下、本考案の実施の形態を、図面を参照して詳細に説明する。
図１は、本実施の形態に係るタグラグビー用具の概要を示す図である。
図１に示すように、タグラグビー用具１００は、タグベルト１１０および２本のタグ１２０を備えている。
タグベルト１１０は、プレーヤーの腰回りに巻いて固定するベルトであり、ベルト部１１１、固定部１１２、および溶着部１１３を備えている。
【００３５】
ベルト部１１１は、例えば幅４０ｍｍ、長さ８５０ｍｍのナイロン製のベルトであり、タグベルト１１０の一面には、全面にわたって留め具１１１ａが設けられている。なお便宜上、タグベルト１１０のうち、留め具１１１ａが設けられ、プレーヤーの身体側に接する面を裏側面、その反対側の面を表側面として以下説明する。
【００３６】
留め具１１１ａは例えばナイロン製の面ファスナーを構成する一面部材であり、同じくナイロン製の面ファスナーを構成する一面部材であって留め具１１１ａに対応して結合する一面部材を備えた固定部１１２が、留め具１１１ａに貼り付けられることで、ベルト部１１１に固定部１１２が固定される。
【００３７】
同様に、タグ１２０の一部にも例えば面ファスナーを構成する一面部材であり、留め具１１１ａに対応して結合する留め具１２２が備えられており、タグ１２０が有する留め具１２２が留め具１１１ａに貼り付けられることで、ベルト部１１１にタグ１２０が固定される。詳細は後述する。
【００３８】
ベルト部１１１の一端には、固定部１１２が連続するように設けられている。固定部１１２は、例えば幅４０ｍｍ、長さ２５０ｍｍのナイロン製の帯体であり、固定部１１２の裏側面には、例えば面ファスナーを構成する一面部材であり、留め具１１１ａに対応して結合する留め具１１２ａが全面にわたって設けられる。例えば、固定部１１２そのものを留め具１１１ａに対応した面ファスナーを構成する一面部材とすることもできる。
【００３９】
ベルト部１１１と固定部１１２との結合は、例えば高周波ウェルダー加工などの溶着加工により結合される溶着部１１３により結合される。
ベルト部１１１と固定部１１２との結合は、縫製により強固に固定することもできるが、ベルト部１１１と固定部１１２との一部を重ね合わせ、重なったところを例えば高周波ウェルダーなどの溶着加工で溶着させることで、ベルト部１１１と固定部１１２とを縫製加工するよりも短時間で結合させることができるため、製造コストや製造時間を短縮することができる。
【００４０】
また、ウェルダー加工などによる溶着加工でベルト部１１１と固定部１１２とを結合できるので縫製糸による縫製加工が不要となり、汗や雨による縫製糸の劣化によるベルト部１１１と固定部１１２との分離を防止することができる。
【００４１】
タグベルト１１０は、プレーヤーの腰部に巻き付けられ、環状になったタグベルト１１０の一方の端部に設けられた固定部１１２が、タグベルト１１０の他方の端部からタグベルト１１０を覆うようにして留め具１１１ａに貼り付けられて固定される。
【００４２】
次にタグ１２０の構成を説明する。
タグ１２０は、プレーヤーの腰回りに巻かれたタグベルト１１０に着脱可能に取り付けられるリボンであり、タグ部１２１、留め具１２２、および溶着部１２３を備えている。
タグ部１２１は、タグラグビーの規格サイズで設けられた例えば幅５０ｍｍ、長さ３７５ｍｍの塩化ビニール製の帯体である。
【００４３】
またタグ部１２１の一方の面の端部には、例えば面ファスナーを構成する一面部材であり、留め具１１１ａに対応して結合する留め具１２２が、幅５０ｍｍ、高さ３７．５ｍｍで設けられている。
【００４４】
タグ部１２１と留め具１２２との結合は、例えば高周波ウェルダー加工などの溶着加工により結合される溶着部１２３により結合される。
タグ部１２１と留め具１２２との結合は、縫製により強固に固定することもできるが、タグ部１２１の上端部に留め具１２２を重ね合わせ、留め具１２２の外周辺とタグ部１２１とが重なったところを例えば高周波ウェルダーなどの溶着加工で溶着させることで、縫製加工するよりも短時間で結合させることができるので、製造コストや製造時間を短縮することができる。
【００４５】
また、高周波ウェルダー加工などによる溶着加工でタグ部１２１と留め具１２２とを結合できるので縫製糸による縫製加工が不要となり、汗や雨による縫製糸の劣化によるタグ部１２１と留め具１２２との分離を防止することができる。
【００４６】
タグ部１２１に溶着された留め具１２２を、プレーヤーの腰部に巻いたタグベルト１１０の外周に露出した留め具１１１ａに貼り付けることで、タグ１２０の一端をタグベルト１１０の任意の場所に固定することができる。
【００４７】
図２は、タグベルトの詳細を示す図である。
図２に示すように、タグベルト１１０は、ベルト部１１１、固定部１１２、および溶着部１１３が備えられている。
【００４８】
前述の通り、表側面に留め具１１１ａを備えたベルト部１１１の一端には、溶着部１１３によって結合された固定部１１２が連続するように設けられている。なお、タグベルト１１０は、ベルト部１１１に固定部１１２を連続的に設けるだけでなく、ベルト部１１１の裏側面の一端に留め具１１２ａを設け、表側面全域にわたって留め具１１１ａを設けることもできる。
【００４９】
この場合のベルト部１１１と留め具１１２ａとの結合も、ウェルダー加工などによる溶着加工でベルト部１１１と留め具１１２ａとを結合させることで、製造コストや製造時間を短縮や、縫製糸の劣化によるベルト部１１１と留め具１１２ａとの分離を防止することができる。
【００５０】
固定部１１２の裏側面には留め具１１２ａが設けられるが、留め具１１２ａの表側面には印字面１１２ｂを設けることができる。固定部１１２は留め具１１１ａに外側から覆うように貼り付けられるので必ず印字面１１２ｂは最上面に位置する。
【００５１】
この固定部１１２の裏側面と印字面１１２ｂとの結合も、ウェルダー加工などによる溶着加工で固定部１１２の裏側面と印字面１１２ｂとを結合させることで、製造コストや製造時間の短縮や、縫製糸の劣化による固定部１１２の裏側面と印字面１１２ｂとの分離を防止することができる。
【００５２】
従来のように、タグベルトをプレーヤーの腰部固定するために用いられていたバックルでは、バックルの形状が複雑なために印字面を設けることができなかったが、本考案のような帯状の固定部１１２の表面に設けられた印字面１１２ｂには、タグラグビーのスポンサー広告や、タグラグビー用具１００のメーカー名などを印字することができるため、周囲に印字物をアピールすることができる。
【００５３】
また、留め具１１２ａの表側面に印字面１１２ｂを設けたことで、装着時に固定部１１２の裏表や前後が容易に判断できる。これにより子供でも容易にタグベルト１１０を装着することができる。なお、印字面１１２ｂのデザイン、大きさは任意に変更することができる。
【００５４】
図３は、タグベルトの取付け方法を示す図である。
図３に示すように、タグベルト１１０は、図示しないプレーヤーの腰部に巻き付けられ、タグベルト１１０に一端に設けられた固定部１１２が有する留め具１１２ａが、タグベルト１１０に他端から留め具１１１ａを覆うように貼り付けられる。
【００５５】
形成される環状のタグベルト１１０の径は、留め具１１１ａに貼り付けられる留め具１１２ａの位置を変更することでタグベルト１１０の径を調節することができる。
具体的には、タグベルト１１０は環状にしてプレーヤーの腰に巻き付け、固定部１１２が有する留め具１１２ａをプレーヤーの腰回りに合わせて、留め具１１１ａに貼り付ける。
【００５６】
図３（ａ）は、胴回りが小さいプレーヤーに巻いたタグベルト１１０である。
図３（ｂ）は、胴回りが大きいプレーヤーに巻いたタグベルト１１０である。
ベルト部１１１の長さが８５０ｍｍであり、固定部１１２の長さが２５０ｍｍなのでタグベルト１１０の全長は１１００ｍｍである。留め具１１１ａに貼り付ける固定部１１２の長さを１００ｍｍとした場合、プレーヤーの腰回りが最大１０００ｍｍの大型プレーヤーの腰部にも対応することができる。
【００５７】
このように、タグベルト１１０の長さを自由に変更できるので、子供用と大人用のサイズを設定せず、子供から指導者、親などの大人までフリーサイズのタグベルト１１０を提供することができる。
【００５８】
またサイズ調整で余ったタグベルト１１０は、表側面に露出せずにタグベルト１１０の内側に巻き込んで収納することができる。このため余ったベルトが競技中に外部で暴れることなく競技を行うことができる。これにより余ったベルトによるプレーヤーの怪我がなくなる。
【００５９】
またタグベルト１１０の固定は、面ファスナーを使用して面で固定されているので緩むことがなくなり、競技中にプレーヤーの腰部からタグベルト１１０が移動してしまうことはない。さらにバックルのような破損の恐れがある部材を使用していないので、プレーヤーがタグベルト１１０に起因する怪我をなくすことができる。
【００６０】
図４は、タグの詳細を示す図である。
図４に示すように、タグ１２０は、タグ部１２１、留め具１２２、および溶着部１２３を備えている。
【００６１】
タグ部１２１の一端には、面ファスナーを構成する一面部材であって留め具１１１ａに対応して結合する留め具１２２が設けられている。留め具１２２はタグ１２０の幅と同じ幅で設けられ、４０ｍｍ程度の高さで形成される。
【００６２】
これによりプレーヤーの腰部に固定されたタグベルト１１０の任意の位置に貼り付けることができる。またタグ１２０の反対側面には、タグ１２０の色を識別できる程度の文字情報を印字することができる。
【００６３】
留め具１２２の外周辺には、留め具１２２とタグ部１２１とを溶着するための溶着部１２３が設けられ、例えば高周波ウェルダー加工などの溶着加工によってタグ部１２１に留め具１２２を固定することができる。
【００６４】
これにより、タグ１２０の製造コストや製造時間の短縮や、縫製糸の劣化によるタグ部１２１と留め具１２２との分離を防止することができる。さらに、縫製加工による縫製糸が表面に露出しないので、審美性を向上させることができる。
【００６５】
また、縫製糸を使用しないでタグ部１２１と留め具１２２とを結合することができるので、縫製糸の劣化により解れた縫製糸が留め具１２２に絡まることがない。留め具１２２に糸くずなどの不純物が絡まってしまうと、留め具１１１ａと留め具１２２とを結合する力が弱まってしまうことがある。
【００６６】
そこで本考案では、縫製糸を使用しないため、縫製糸が留め具１２２に絡まることがなくなるので、留め具１１１ａと留め具１２２との結合力が弱まることがない。これにより、タグ１２０がタグベルト１１０から意図せず容易に離脱してしまうことを防止することができる。
【００６７】
図５は、タグ部と留め具とを溶着する様子を示す図である。
図５に示すように、タグ部１２１と留め具１２２との結合は、例えば高周波ウェルダー機による高周波ウェルダー加工により、留め具１２２の外周面とタグ部１２１とが溶着される。
【００６８】
高周波ウェルダー加工とは、素材に高周波を与えることで素材同士を溶かして張り合わせる熱処理加工技術である。タグ部１２１などに用いられる塩化ビニールやポリウレタン、ナイロンなどの溶着加工に適した加工方法である。
【００６９】
熱処理加工には、温めた金型を外部から押し当てることで、素材の外側から溶着熱を素材に伝えて、素材を溶かして溶着する外部加熱と、高周波振動する金型を素材に押し当てることで、素材の分子を振動させて、素材自体から発された熱により素材同士を溶着する内部加熱とがある。
【００７０】
本考案では、後者の高周波による内部加熱で素材同士を溶着させる熱処理加工、具体的には高周波ウェルダー加工によって、タグ部１２１と留め具１２２とが接する内側を高周波によって加熱し、タグ部１２１と留め具１２２とを溶着する。
【００７１】
これにより、外部加熱による加工と比べて、金型を押し当てた部分が溶着熱により変形しないので、審美性を向上させることができる。また高周波により均一に素材を加熱できるため、強度も高く、品質も安定させた溶着加工を行なうことができる。
【００７２】
以下、具体的な溶着工程を説明する。
高周波ウェルダー機に備えられた金型２００は、あらかじめ留め具１２２の外周面に沿った形状で形成されている。具体的には、幅５０ｍｍ、高さ３７．５ｍｍの口形状の金型が形成される。
【００７３】
留め具１２２は、タグ部１２１の上端部に合わせて重ねられており、留め具１２２の外周辺に合わせて金型２００が押し当てられる。
金型２００は、取り付けられた高周波ウェルダー機により高周波振動し、高周波振動２１０が重ねられたタグ部１２１および留め具１２２に伝わり、高周波振動によりタグ部１２１と留め具１２２が接する内部で熱が発生する。
この内部で発生した熱により、塩化ビニール製のタグ部１２１と、ナイロン製の留め具１２２とを溶着することができる。
【００７４】
図６は、タグベルトにタグを装着した状態を示す図である。
図６に示すように、任意の大きさに固定したタグベルト１１０の左右には、タグ１２０が固定される。
【００７５】
プレーヤーの腰に巻いたタグベルト１１０の表側面の固定部１１２を除いた全面には、環状に固定したタグベルト１１０の径が変化しても、常に留め具１１１ａが外周に露出しているため、タグ１２０をプレーヤーの腰部左右の位置にあたる任意の場所に貼り付けることができる。つまりタグベルト１１０を装着するプレーヤーが変わっても、プレーヤーが装着したタグベルト１１０の両腰左右の位置にタグ１２０を固定することができる。
【００７６】
以上のように、バックルを使用せずに面ファスナーを使用してタグベルト１１０を固定することで、タグベルト１１０の付属物の破損によるプレーヤーの損傷はなくなる。
またサイズ調整のため、あまったタグベルト１１０はタグベルト１１０の裏側面に収納できるので、表側に出ることはなくなり、余ったタグベルト１１０によるプレーヤーの怪我を防止することができる。
【００７７】
またタグベルト１１０の固定は、面ファスナーを構成して面で固定するため、固定した位置からベルトが緩んでしまうことがない。このため、プレーヤーは安心してタグラグビーをプレーすることができる。
【００７８】
なお、ベルト部１１１が有する留め具１１１ａと、固定部１１２が有する留め具１１２ａとを面ファスナーで固定する旨の説明をしたが、条件を満たせば面ファスナーだけに限らず、ボタンやファスナーなどの他の留め具を用いてもよい。
【００７９】
また、タグベルト１１０にバックルのような固い留め具を使用しないため、使用後は、タグベルト１１０に他端側から小さく渦巻き状巻いていき、留め具１１１ａをベルト部１１１に貼り付けることで、コンパクトに収納することができる。これにより従来のバックルを使用したベルトでは、収納時に他のベルトと絡まっていたが、本考案のタグベルト１１０は、他のタグベルトと絡まることなく保管することができる。また使用時にも容易に取り出して使用することができる。
【符号の説明】
【００８０】
１０、１００  タグラグビー用具
１１、１１０  タグベルト
１２  連結具
１３、１４、１５ａ、１１１ａ、１１２ａ、１２２  留め具
１５、１２０  タグ
１１１  ベルト部
１１２  固定部
１１２ｂ  印字面
１１３、１２３  溶着部
１２１  タグ部
２００  金型
２１０  高周波振動
【図１】
0003219454.tif 000003
【図２】
0003219454.tif 000004
【図３】
0003219454.tif 000005
【図４】
0003219454.tif 000006
【図５】
0003219454.tif 000007
【図６】
0003219454.tif 000008
【図７】
0003219454.tif 000009